(57)【要約】【課題】  携携帯電話の機種やメーカーが異なっても安定した結合状態で無線性能試験や接続機能試験を行うことができるアンテナカプラを提供する。【解決手段】  携帯電話端末の内蔵アンテナと測定アンテナ間で電波による信号の送受信を行い、前記携帯電話端末の試験を行うアンテナカプラにおいて、  前記測定アンテナを前記携帯電話端末の形状に合わせて変形させる。  【選択図】                    図１
2007174067.tif 000002
【特許請求の範囲】
【請求項１】
携帯電話端末の内蔵アンテナと測定アンテナ間で電波による信号の送受信を行い、前記携帯電話端末の試験を行うアンテナカプラにおいて、
前記測定アンテナを前記携帯電話端末の形状に合わせて変形させたことを特徴とするアンテナカプラ。
【請求項２】
携帯電話端末の内蔵アンテナと測定アンテナ間で電波による信号の送受信を行い、前記携帯電話端末の試験を行うアンテナカプラにおいて、
前記携帯電話端末を固定する測定台と、
前記測定アンテナを前記携帯電話端末の形状に合わせて変形させる可動部を備えたことを特徴とするアンテナカプラ。
【請求項３】
携帯電話端末の内蔵アンテナと測定アンテナ間で電波による信号の送受信を行い、前記携帯電話端末の試験を行うアンテナカプラにおいて、
前記携帯電話端末を固定する測定台と、
この測定台と共に、前記測定アンテナを前記携帯電話端末の形状に合わせて変形させる可動部を備えたことを特徴とするアンテナカプラ。
【請求項４】
前記可動部は、前記測定アンテナを折り曲げた際に前記内蔵アンテナとの距離を最短に保つことを特徴とする請求項２又は３記載のアンテナカプラ。
【請求項５】
携帯電話端末の内蔵アンテナと測定アンテナ間で電波による信号の送受信を行い、前記携帯電話端末の試験を行うアンテナカプラにおいて、
前記携帯電話端末を固定する測定台を備え、
前記測定アンテナを、前記携帯電話端末の形状に合わせて変形する可とう性の素材で形成したことを特徴とするアンテナカプラ。
【請求項６】
前記測定アンテナを、マイクロストリップ線路を用いた進行波形アンテナで形成したことを特徴とする請求項１乃至５のいずれかに記載のアンテナカプラ。
【請求項７】
折りたたみ式携帯電話端末の内蔵アンテナと前記折りたたみ式携帯電話端末の第１筐体を固定する測定台と測定装置の命令に基づいて前記内蔵アンテナとの間で電波を送受信する測定アンテナとを備え、前記携帯電話端末の試験を行う無線端末測定装置のアンテナカプラにおいて、
前記測定アンテナの長手方向の中央部付近を折り曲げる可動部を備え
前記可動部は、前記折りたたみ式携帯電話端末の第２筐体と同じ角度になるまで前記測定アンテナを傾けることを特徴とする無線端末測定装置のアンテナカプラ。
【発明の詳細な説明】
【技術分野】
【０００１】
本発明は、携帯電話等の無線端末機の送受信検査に用いるシールドボックスに内蔵されたアンテナカプラに関するものであって、特に携携帯電話の機種やメーカーが異なっても安定した結合状態で無線性能試験や接続機能試験を行うことができるアンテナカプラに関する。
【背景技術】
【０００２】
携帯電話等からなる無線端末機の無線性能試験や接続機能試験を行うためには、基地局及び他の携帯電話端末から出力される電波の影響を避けることが必要とされる。これらの試験を行うためには、通常、各種の試験を行うアンテナカプラをシールドボックスで囲い込むことによって電波の影響を遮断することが必要とされる。
【０００３】
また、この様なアンテナカプラには測定アンテナが内蔵され、この測定アンテナと携帯電話端末の内蔵アンテナ間で電波の送受を行うことにより各種の試験がなされる。シールドボックスを使用したアンテナカプラに関する先行技術文献としては以下のようなものがある。
【０００４】
【特許文献１】特開平７−３２７１８２号公報
【０００５】
以下、従来のアンテナカプラについて図３を参照して説明する。図３は、従来技術によるアンテナカプラの第１の使用状態説明図である。測定台１には携帯電話端末６１が搭載される。測定アンテナ２は携帯電話端末の内蔵アンテナ７１と電波の送受を行う。給電線３は測定アンテナ２と測定用コネクタ４を接続する。測定用コネクタ４には図示しない無線端末測定装置が接続される。携帯電話端末固定治具５は携帯電話端末６１を測定台１に固定する。携帯電話端末６１は１つの筐体からなる携帯電話である。内蔵アンテナ７１は携帯電話端末６１の頭頂部に設けられる。
【０００６】
ところで、内蔵アンテナは携帯電話端末の種類によって取り付け位置やその形状が変化する。そこで、図４〜図７を用いてアンテナカプラの第２の使用状態説明図乃至第５の使用状態説明図を説明する。
【０００７】
図４はアンテナカプラの第２の使用状態説明図であり、折りたたみ式の携帯電話端末６２の試験を行うものである。図４の内蔵アンテナ７２は図３の内蔵アンテナ７１と比較して可とう性の素材で形成されている点に特徴がある。図５は、アンテナカプラの第３の使用状態説明図であり、携帯電話端末６３の内蔵アンテナ７３は操作部を備えた筐体（以下、「第１筐体」という。）の内部に形成される。
【０００８】
図６は、アンテナカプラの第４の使用状態説明図であり、携帯電話端末６４の内蔵アンテナ７４は、表示部を備えた筐体（以下、「第２筐体」という。）の内部に形成される。また、第２筐体は測定台１に携帯電話端末６４の可動部で第１筐体に対して斜めに固定されている。
【０００９】
図７はアンテナカプラの第５の使用状態説明図であり、携帯電話端末６５の内蔵アンテナ７５は第２筐体の頭頂部に形成される。また、第２筐体は、携帯電話端末６５の可動部で第１筐体に対して斜めに固定されている。
【発明の開示】
【発明が解決しようとする課題】
【００１０】
しかしながら、携帯電話端末の搭載位置や姿勢が変化すると、測定アンテナ２と携帯電話端末の内蔵アンテナ７１〜７５との位置関係が変化してしまい、このことが原因となりアンテナ同士の結合状態が変わり測定結果に影響をあたえてしまう場合がある。
【００１１】
この対策としては、携帯電話端末、又は折りたたみ式携帯電話の第１筐体を携帯電話端末固定治具５で測定台１に固定し、シールドボックス内の決まった位置に一定の姿勢で携帯電話端末を搭載する。
【００１２】
しかし、携帯電話端末の外観形状及び内蔵アンテナの搭載位置は、携帯電話の機種やメーカーによりさまざまであり、頭頂部のみならず底面や側面、液晶の裏側等に配置される場合もある。
【００１３】
このような場合には、携帯電話端末固定治具５で携帯電話端末を固定すると、かえって内蔵アンテナ７４、７５がアンテナカプラ内に形成された測定アンテナ２から遠ざかってしまい、不安定な結合状態となる。具体的には、図６及び図７に示した携帯電話端末６４、６５で内蔵アンテナ７４、７５と測定アンテナ２との距離が離れてしまう。
【００１４】
本発明は、これらの問題点に鑑みてなされたものであり、携帯電話の機種やメーカーが異なっても安定した結合状態で無線性能試験や接続機能試験を行うことができるアンテナカプラを提供することを目的とする。
【課題を解決するための手段】
【００１５】
このような課題を達成するために請求項１記載の発明は、
携帯電話端末の内蔵アンテナと測定アンテナ間で電波による信号の送受信を行い、前記携帯電話端末の試験を行うアンテナカプラにおいて、
前記測定アンテナを前記携帯電話端末の形状に合わせて変形させる。
【００１６】
また、請求項２記載の発明は、
携帯電話端末の内蔵アンテナと測定アンテナ間で電波による信号の送受信を行い、前記携帯電話端末の試験を行うアンテナカプラにおいて、
前記携帯電話端末を固定する測定台と、
前記測定アンテナを前記携帯電話端末の形状に合わせて変形させる可動部を備える。
【００１７】
また、請求項３記載の発明は、
携帯電話端末の内蔵アンテナと測定アンテナ間で電波による信号の送受信を行い、前記携帯電話端末の試験を行うアンテナカプラにおいて、
前記携帯電話端末を固定する測定台と、
この測定台と共に、前記測定アンテナを前記携帯電話端末の形状に合わせて変形させる可動部を備える。
【００１８】
また、請求項４のアンテナカプラは、請求項２又は３記載のアンテナカプラにおいて、
前記可動部が、前記測定アンテナを折り曲げた際に前記内蔵アンテナとの距離を最短に保つ。
【００１９】
また、請求項５記載の発明は、
携帯電話端末の内蔵アンテナと測定アンテナ間で電波による信号の送受信を行い、前記携帯電話端末の試験を行うアンテナカプラにおいて、
前記携帯電話端末を固定する測定台を備え、
前記測定アンテナを、前記携帯電話端末の形状に合わせて変形する可とう性の素材で形成する。
【００２０】
また、請求項６記載の発明は、請求項１乃至５のいずれかに記載のアンテナカプラにおいて、
前記測定アンテナを、マイクロストリップ線路を用いた進行波形アンテナで形成する。
【００２１】
さらに、請求項７記載の発明は、
折りたたみ式携帯電話端末の内蔵アンテナと前記折りたたみ式携帯電話端末の第１筐体を固定する測定台と測定装置の命令に基づいて前記内蔵アンテナとの間で電波を送受信する測定アンテナとを備え、前記携帯電話端末の試験を行う無線端末測定装置のアンテナカプラにおいて、
前記測定アンテナの長手方向の中央部付近を折り曲げる可動部を備え
前記可動部は、前記折りたたみ式携帯電話端末の第２筐体と同じ角度になるまで前記測定アンテナを傾ける。
【発明の効果】
【００２２】
本発明では、次のような効果がある。測定アンテナを携帯電話端末の形状に合わせて変形させたので、携帯電話の機種やメーカーが異なっても安定した結合状態で無線性能試験や接続機能試験を行うことができる。
【発明を実施するための最良の形態】
【００２３】
以下、本発明の第１の実施例を説明する。図１は本発明によるアンテナカプラの第１の使用状態説明図である。アンテナカプラ１００は、測定台１０、測定アンテナ２０、給電線３０、測定用コネクタ４０、携帯電話端末固定治具５０、測定台可動部８１、測定台可動部８２、アンテナ可動部９０を備える。また、携帯電話端末６１は携帯電話端末固定治具５０で測定台１０に固定されるが、その他は図３と同様なので詳細な説明は省略する。
【００２４】
測定台１０は、長手方向の中央部付近に測定台１０を折り曲げるための測定台可動部８１が設けられ、連結柱で地板と結合されている。測定アンテナ２０は、内蔵アンテナ７１と電波を送受信する。給電線３０は測定アンテナ２０と測定用コネクタ４０を接続する。測定用コネクタ４０には図示しない無線端末測定装置が接続される。携帯電話端末固定治具５０は携帯電話端末６１を測定台１０に固定する。
【００２５】
測定台可動部８１、８２は測定台１０を折り曲げる際に使用される。アンテナ可動部９０は測定アンテナ２０を折り曲げる際に使用される。
【００２６】
次に本発明の第２の実施例を説明する。図２は本発明によるアンテナカプラの第２の使用状態説明図である。携帯電話端末６５は図７で説明したものと同様であり、内蔵アンテナ７５は、携帯電話端末６５の第２筐体の頭頂部に形成される。また、第２筐体は、携帯電話端末６５の可動部で第１筐体に対して斜めに固定されている。従って、携帯電話端末固定治具５０で携帯電話端末６５の第１筐体を固定すると、内蔵アンテナ７５が測定アンテナ２０から遠ざかる。
【００２７】
そこで、携帯電話端末６５の第２筐体と同じ角度になるまで図１の状態から測定アンテナ２０のアンテナ可動部９０を折り曲げる。この際、測定台１０と地板も連結柱と共に測定台可動部８１、８２で折り曲げる。
【００２８】
なお、本実施例では単一のアンテナ可動部９０を備え、このアンテナ可動部９０が長手方向に折れ曲がる例を説明したが、複数のアンテナ可動部を備え長手方向のみならず幅方向にもアンテナ可動部が折れ曲がる構成としても差し支えない。また、アンテナ可動部９０を設けた本実施例の他、測定アンテナを可とう性の素材で形成したものを使用しても差し支えない。
【００２９】
また、アンテナ可動部９０を設けた測定アンテナ２０及び可とう性の素材で形成したアンテナは、マイクロストリップ線路を用いた進行波形アンテナで構成することが有効である。マイクロストリップ線路を使用した進行波形アンテナは、地板と測定アンテナ間の距離を保つことができれば特性に大きな変化が生じない。このため地板と測定アンテナ間に適切なスペーサを使用して屈曲時にも間隔が変化しない構成とすることにより、特性に大きな変化を与えることなく試験を行うことができる。
【００３０】
この様に、折りたたみ式携帯電話６５の第２筐体と同じ角度になるまで測定アンテナ２０を折り曲げるので、測定アンテナ２０と内蔵アンテナ７５の最短距離を一定に保つことができ、携帯電話の機種やメーカーが異なっても安定した結合状態で無線性能試験や接続機能試験を行うことができる。
【図面の簡単な説明】
【００３１】
【図１】本発明によるアンテナカプラの第１の使用状態説明図である。
【図２】本発明によるアンテナカプラの第２の使用状態説明図である。
【図３】従来技術によるアンテナカプラの第１の使用状態説明図である。
【図４】従来技術によるアンテナカプラの第２の使用状態説明図である。
【図５】従来技術によるアンテナカプラの第３の使用状態説明図である。
【図６】従来技術によるアンテナカプラの第４の使用状態説明図である。
【図７】従来技術によるアンテナカプラの第５の使用状態説明図である。
【符号の説明】
【００３２】
１０              測定台
２０              測定アンテナ
８１              測定台可動部
８２              測定台可動部
９０              アンテナ可動部
【図１】
2007174067.tif 000003
【図２】
2007174067.tif 000004
【図３】
2007174067.tif 000005
【図４】
2007174067.tif 000006
【図５】
2007174067.tif 000007
【図６】
2007174067.tif 000008
【図７】
2007174067.tif 000009